(57)【要約】【課題】物干し具につき、ロープの展張のパターンの自由度を向上させる。【解決手段】物干し具１を、室内の壁面に沿って任意の箇所に敷設可能な複数のレール１０と、各レール１０の任意の箇所に着脱可能なフック２０と、各レール１０の任意の箇所に着脱可能な物干し具本体３０と、フック２０と前記物干し具本体３０の間に展張可能なロープ４０と、から構成する。フック２０には、ロープ４０の先端が固定されており、物干し具本体３０には、ロープ４０の後端が固定されており、かつロープ４０を巻き取り可能および引き出し可能に構成されている。フック２０と物干し具本体３０のレール１０に対する取り付けパターンを変化させることで、ロープ４０の展張のパターンを自由に変更することが可能である。【選択図】図１
2017079932.tif 000002
【特許請求の範囲】
【請求項１】
室内の壁面に沿って任意の箇所に敷設可能な複数のレールと、
前記各レールの任意の箇所に着脱可能なフックと、
前記各レールの任意の箇所に着脱可能な物干し具本体と、
前記フックと前記物干し具本体の間に展張可能なロープと、を備え、
前記フックには、前記ロープの先端が固定されており
前記物干し具本体には、前記ロープの後端が固定されており、かつ前記ロープを巻き取りおよび引き出し可能に構成されている物干し具。
【請求項２】
前記フックは、
内部に前記ロープの先端が固定されており、外面に前記レールがはめ込まれる嵌合部を有するケーシングと、
前記嵌合部内において前記レールへの着脱を可能とする着脱機構と、を備え、
前記物干し具本体は、
外面に前記レールがはめ込まれる嵌合部を有するケーシングと、
前記ケーシング内にロープの巻き取り方向および引き出し方向に回転可能に支持され、ロープが巻き回されたドラムと、
前記嵌合部内において前記レールへの着脱を可能とする着脱機構と、を備える請求項１に記載の物干し具。
【請求項３】
前記レールは、
長手方向に沿って延びる係止溝を備え、
前記フックは、
前記ケーシング内に支持され、前記嵌合部からケーシング外に突出して前記レールの係止溝に係合する突出位置と前記嵌合部からケーシング内に没入して前記レールの係止溝と係合しない退避位置との間で切り替え可能なレールロックアームと、を備え、
前記物干し具本体は、
前記ケーシング内に支持され、前記嵌合部からケーシング外に突出して前記レールの係止溝に係合する突出位置と前記嵌合部からケーシング内に退避して前記レールの係止溝との係合を解除する退避位置との間で切り替え操作可能なレールロックアームと、
前記ケーシング内で前記ドラムと一体に回転するドラムギアと、
前記ケーシング内に支持され、前記ドラムギアに接近して噛合する接近位置と前記ドラムギアから離反して噛合を解除する離反位置との間で切り替え操作可能なドラムロックアームと、を備える請求項２に記載の物干し具。
【請求項４】
前記物干し具本体のレールロックアームとドラムロックアームは連動可能に構成されており、
前記レールロックアームが突出位置にあるときに前記ドラムロックアームは接近位置にあり、前記レールロックアームが退避位置にあるときに前記ドラムロックアームは離反位置にある請求項３に記載の物干し具。
【請求項５】
前記物干し具本体は、前記レールロックアームを突出位置に前記ドラムロックアームを接近位置にそれぞれ付勢する復帰ばねをさらに備える請求項３または４に記載の物干し具。
【請求項６】
前記物干し具本体は、前記ドラムを前記ロープの巻き取り方向に付勢する巻き取りばねをさらに備え、
前記物干し具本体のドラムギアは、
その外周に設けられた各歯が、前記ドラムにおける前記ロープの引き出し方向に向けて歯先が寝るように傾斜したラチェット歯であり、
前記ドラムロックアームが接近位置にあって前記ドラムギアに係合した際に、前記ドラムは前記ラチェット歯により前記ロープの引き出し方向への回転が阻止される請求項３から５のいずれかに記載の物干し具。
【請求項７】
前記物干し具本体のドラムギアは、前記各ラチェット歯の歯先に連設され、前記ドラムにおける前記ロープの巻き取り方向に対して、その外径側がその内径側よりも先行する向きに傾斜するストッパをさらに有し、
前記ドラムロックアームが接近位置にあって前記ドラムギアに係合しかつ隣接するストッパの間に嵌まり込んだ際に、前記ドラムは前記ストッパにより前記ロープの巻き取り方向への回転が阻止される請求項６に記載の物干し具。
【発明の詳細な説明】
【技術分野】
【０００１】
本発明は、物干し具に関する。
【背景技術】
【０００２】
特許文献１のように、室内壁面に固定された物干し具本体と、同じく室内の壁面に固定されたソケットと、からなる室内物干し具が知られている。
物干し具本体にはドラムが内蔵され、このドラムにはロープが巻き回されており、ロープの先端にはフックが取り付けられている。
使用の際には、ドラムを回転させて物干し具本体からロープを引き出し、その先端のフックを壁面のソケットに引っ掛けることでロープを室内に展張し、このロープに洗濯物を吊り下げる。
【先行技術文献】
【特許文献】
【０００３】
【特許文献１】特開２００８−１１９３７９号公報
【発明の概要】
【発明が解決しようとする課題】
【０００４】
この種の物干し具の場合、物干し具本体とソケットとが室内の特定の位置に固定されているため、ロープの展張のパターンが制限されていた。
したがって、室内における他の物品の設置状況等によっては、洗濯物の吊り下げに支障が生じるなど、ロープの展張のパターンが制限されていることに由来する不都合が生じていた。
【０００５】
そこで、本発明の解決すべき課題は、物干し具につき、ロープの展張のパターンの自由度を向上させることである。
【課題を解決するための手段】
【０００６】
上記した課題を解決するため、本発明の物干し具を、室内の壁面に沿って任意の箇所に敷設可能な複数のレールと、前記各レールの任意の箇所に着脱可能なフックと、前記各レールの任意の箇所に着脱可能な物干し具本体と、前記フックと前記物干し具本体の間に展張可能なロープと、を備えるものとしたのである。
そして、前記フックには、前記ロープの先端が固定されており前記物干し具本体には、前記ロープの後端が固定されており、かつ前記ロープを巻き取りおよび引き出し可能に構成されているものとしたのである。
【０００７】
本発明の物干し具において、前記フックは、内部に前記ロープの先端が固定されており、外面に前記ロープが挿通する挿通口および前記レールがはめ込まれる嵌合部を有するケーシングと、前記嵌合部内において前記レールへの着脱を可能とする着脱機構と、を備えるのが好ましい。
また、前記物干し具本体は、外面に前記ロープが挿通する挿通口および前記レールがはめ込まれる嵌合部を有するケーシングと、前記ケーシング内に回転可能に支持され、前記ロープの後端が固定されておりかつ前記ロープが巻き回されているドラムと、前記嵌合部内において前記レールへの着脱を可能とする着脱機構と、を備えるのが好ましい。
【０００８】
本発明の物干し具において、前記レールは、長手方向に沿って延びる係止溝を備えるのが好ましい。
また、前記フックは、前記ケーシング内に支持され、前記嵌合部からケーシング外に突出して前記レールの係止溝に係合する突出位置と前記嵌合部からケーシング内に没入して前記レールの係止溝と係合しない退避位置との間で切り替え可能なレールロックアームと、を備えるのが好ましい。
さらに前記物干し具本体は、前記ケーシング内に支持され、前記嵌合部からケーシング外に突出して前記レールの係止溝に係合する突出位置と前記嵌合部からケーシング内に退避して前記レールの係止溝との係合を解除する退避位置との間で切り替え操作可能なレールロックアームと、前記ケーシング内で前記ドラムと一体に回転するドラムギアと、前記ケーシング内に支持され、前記ドラムギアに接近して噛合する接近位置と前記ドラムギアから離反して噛合を解除する離反位置との間で切り替え操作可能なドラムロックアームと、を備えるのが好ましい。
【０００９】
本発明の物干し具において、前記物干し具本体のレールロックアームとドラムロックアームは連動可能に構成されており、前記レールロックアームが突出位置にあるときに前記ドラムロックアームは接近位置にあり、前記レールロックアームが退避位置にあるときに前記ドラムロックアームは離反位置にあるのが好ましい。
【００１０】
本発明の物干し具において、前記物干し具本体は、前記レールロックアームを突出位置に前記ドラムロックアームを接近位置にそれぞれ付勢する復帰ばねをさらに備えるのが好ましい。また前記フックは、前記レールロックアームを突出位置に付勢する復帰ばねをさらに備えるのが好ましい。
【００１１】
本発明の物干し具において、前記物干し具本体は、前記ドラムを前記ロープの巻き取り方向に付勢する巻き取りばねをさらに備え、前記物干し具本体のドラムギアは、その外周に設けられた各歯が、前記ドラムにおける前記ロープの引き出し方向に向けて歯先が寝るように傾斜したラチェット歯であり、前記ドラムロックアームが接近位置にあって前記ドラムギアに係合した際に、前記ドラムは前記ラチェット歯により前記ロープの引き出し方向への回転が阻止されるのが好ましい。
【００１２】
本発明の物干し具において、前記物干し具本体のドラムギアは、前記各ラチェット歯の歯先に連設され、前記ドラムにおける前記ロープの巻き取り方向に対して、その外径側がその内径側よりも先行する向きに傾斜するストッパをさらに有し、前記ドラムロックアームが接近位置にあって前記ドラムギアに係合しかつ隣接するストッパの間に嵌まり込んだ際に、前記ドラムは前記ストッパにより前記ロープの巻き取り方向への回転が阻止されるのが好ましい。
【発明の効果】
【００１３】
発明にかかる物干し具を、レールを室内の壁面の水平方向に沿って任意の箇所に敷設可能とし、このレールの任意の箇所にフックと物干し具本体とを着脱可能としたので、フックと物干し具本体のレールに対する取り付けパターンを変化させることで、ロープの展張のパターンを自由に変更することが可能となる。
【図面の簡単な説明】
【００１４】
【図１】物干し具の使用状態を示す斜視図
【図２】物干し具の使用状態を示す縦断面図
【図３】フックの（ａ）は縦断面図、（ｂ）は（ａ）のｂ−ｂ線断面図
【図４】フックの分解斜視図
【図５】物干し具本体の（ａ）は縦断面図、（ｂ）は（ａ）のｂ−ｂ線断面図、（ｃ）は（ａ）のｃ−ｃ線断面図
【図６】物干し具本体の分解斜視図
【図７】物干し具本体の縦断面図
【発明を実施するための形態】
【００１５】
以下、図面を参照しつつ本発明の実施形態について説明する。
図１のように、実施形態に係る物干し具１は、室内の壁面Ｗに沿って固定された複数のレール１０と、各レール１０に着脱可能なフック２０および物干し具本体３０と、フック２０および物干し具本体３０の間に展張されるロープ４０と、を備え、ロープ４０に洗濯物等を吊り下げて用いるものである。
【００１６】
図１および図２のように、レール１０は、壁面に固定される取り付け板１１と、レール本体１２と、からなり、ほぼ水平方向を向くように敷設されている。
取り付け板１１は、それぞれ断面が略コの字型の表板１１ａと裏板１１ｂとを嵌め合わせることで構成されており、その裏板１１ｂがねじ止め等の適宜手段により壁面Ｗに固定されている。
レール本体１２は、取り付け板１１の表板１１ａと一体に形成され、その表板１１ａから室内の斜め上方に向けて立ち上がっている。レール本体１２の上面には、長手方向に沿って延びる係止溝１２ａが形成されている。
【００１７】
図２から図４のように、フック２０は、ケーシング２１と、ケーシング内に収容されるレールロックアーム２２と、を備える。
【００１８】
略直方体形のケーシング２１は、その正面に引き出し口２１ａを有し、その上面に操作口２１ｂを有し、その背面に斜め上方に向けて窪む嵌合部２１ｃを有する。
嵌合部２１ｃの形状は、レール１０のレール本体１２と補完形状をなしており、図１および図２のように、ケーシング２１をレール本体１２にはめ込むことが可能となっている。また嵌合部２１ｃの上壁には、鉤口２１ｄが形成されている。
ケーシング２１内の下部には、嵌合部２１ｃの下壁とほぼ平行に延びる挟持片２１ｅが形成されており、引き出し口２１ａを挿通するロープ４０は、この挟持片２１ｅと嵌合部２１ｃの下壁の間に先端が挟み込まれることで固定されている。
図４のように、ケーシング２１は、左右一対のケーシング本体２１ｇに、カバー２１ｈを被せることで形成されている。ケーシング本体２１ｇとカバー２１ｈとの固定は、例えばカバー２１ｈの内面に爪を設け、この爪をケーシング本体２１ｇの外面に設けられた係合穴に係合することによる。
【００１９】
ケーシング２１内の上部には、くの字型に屈曲するレールロックアーム２２が、その後端を貫通する水平なアーム軸２２ａを中心に揺動可能に支持されている。
レールロックアーム２２は、左右に突出するガイドピン２２ｂを有し、これがケーシングの左右内壁に設けられた円弧形のガイド溝２１ｆに嵌まり込み、案内されている。
レールロックアーム２２は、その先端の鉤部２２ｃがケーシング２１の鉤口２１ｄから突出する突出位置と、鉤部２２ｃがケーシング２１内へと没入する退避位置との間で切り替え可能となっている。この鉤部２２ｃは、レール本体１２の係止溝１２ａと補完形状をなしている。
またレールロックアーム２２は、ケーシング２１との間に装てんされたトーションスプリングからなる復帰ばね２３により、突出位置へと付勢されている。
【００２０】
図２のように、フック２０のケーシング２１がレール１０のレール本体１２にはめ込まれた状態で、ばね２３の付勢により鉤口２１ｄから突出する鉤部２２ｃが、レール本体１２の係止溝１２ａへと係合するため、フック２０は、レール１０に対して固定される。
またレールロックアーム２２は、上方に延びる操作レバー２２ｄを有し、その操作レバー２２ｄの上端に設けられたタブはケーシング２１の操作口２１ｂに臨んでいる。
図２および図３の破線で示すように、操作口２１ｂを通じて、操作レバー２２ｄのタブを復帰ばね２３に抗してケーシング２１の正面側にスライド操作することで、レールロックアーム２２を突出位置から退避位置へと切り替え操作することができる。これにより、レールロックアーム２２の鉤部２２ｃとレール本体１２の係止溝１２ａとの係合が解除され、フックをレールから取り外すことが可能となる。
一方、操作レバー２２ｄから手を離すと、復帰ばね２３の付勢により、レールロックアーム２２は退避位置から突出位置へと自動的に切り替わり、フック２０が、レール１０に対して固定可能な状態に復帰する。
【００２１】
図２、図５から図７のように、物干し具本体３０は、ケーシング３１と、それぞれケーシング３１に収容される、ドラム３２、レールロックアーム３３、およびドラムロックアーム３４を備える。
【００２２】
略直方体形のケーシング３１は、ケーシング本体と、ケーシング本体に被せるカバーとからなり、その正面に引き出し口３１ａを有し、その上面に操作口３１ｂを有し、その背面に斜め上方に向けて窪む嵌合部３１ｃを有する。
嵌合部３１ｃの形状は、レール１０のレール本体１２と補完形状をなしており、図１および図２のように、ケーシング３１をレール本体１２にはめ込むことが可能となっている。また嵌合部３１ｃの上壁には、鉤口３１ｄが形成されている。
図６のように、ケーシング３１は、左右一対のケーシング本体３１ｆに、カバー３１ｇを被せることで形成されている。ケーシング本体３１ｆとカバー３１ｇとの固定は、例えばカバー３１ｇの内面に爪を設け、この爪をケーシング本体３１ｆの外面に設けられた係合穴に係合することによる。
【００２３】
ケーシング３１内の下部には、ドラム３２が、水平なドラム軸３２ａを中心に回転可能に支持されている。ドラム３２は、中央の胴３２ｂと、胴３２ｂの左右一側に一体に設けられたばねケース３２ｃと、胴３２ｂの左右他側に適宜手段により固定されたドラムギア３２ｄと、からなる。
引き出し口３１ａを挿通するロープ４０は、ドラム３２の胴３２ｂに巻き回され、かつ後端が適宜手段によりドラム３２に固定されている。ドラム３２は、ロープ４０の巻き取り方向および引き出し方向のいずれにも回転可能となっている。
胴３２ｂと一体に回転するばねケース３２ｃには、ぜんまいばねからなる巻き取りばね３２ｅが収容されている。その巻き取りばね３２ｅの一端が、ばねケース３２ｃの側に固定され、他端はドラム軸３２ａの側に固定されることで、ドラム３２はロープ４０の巻き取り方向に付勢されている。
【００２４】
胴３２ｂと一体に回転するドラムギア３２ｄの外周に設けられた各歯は、ロープ４０の引き出し方向に向けて歯先が寝るように傾斜したラチェット歯３２ｆに形成されている。各ラチェット歯３２ｆのロープ４０の巻き取り方向に対して先行する側の歯面（前歯面）の角度は約４５度であり、後続する側の歯面（後歯面）の角度は約９０度である。
ドラムギア３２ｄの各ラチェット歯３２ｆの歯先には、ストッパ３２ｇが連設されている。ストッパ３２ｇは、ロープ４０の巻き取り方向に対して、その外径側が内径側よりも先行する向きに傾斜している。すなわち、ラチェット歯３２ｆとストッパ３２ｇとは逆向きに傾斜している。
またストッパ３２ｇと、そのストッパ３２ｇが設けられたラチェット歯３２ｆよりもロープ４０の巻き取り方向に対して、一歯分先行するラチェット歯３２ｆの後歯面とは、ほぼ平行をなしている。
【００２５】
ケーシング３１内の上部背面寄りには、くの字型に屈曲するレールロックアーム３３が、その中間部を貫通する水平なアーム軸３３ａを中心に揺動可能に支持されている。
またケーシング内の上部正面寄りには、くの字型に屈曲するドラムロックアーム３４が、その中間部を貫通する水平なアーム軸３４ａを中心に揺動可能に支持されている。
レールロックアーム３３は、その先端の鉤部３３ｂがケーシング３１の鉤口３１ｄから突出する突出位置と、鉤部３３ｂがケーシング３１内に没入する退避位置との間で切り替え可能となっている。鉤部３３ｂは、レール本体１２の係止溝１２ａと補完形状をなしている。
ドラムロックアーム３４は、その先端の爪部３４ｂがドラム３２のドラムギア３２ｄに接近する接近位置と、ドラムギア３２ｄから離反する離反位置との間で切り替え可能となっている。爪部３４ｂは、ドラムギア３２ｄの隣接するラチェット歯３２ｆの間の窪みから隣接するストッパ３２ｇの間の窪みにかけての形状と補完形状をなしている。
【００２６】
また、レールロックアーム３３とドラムロックアーム３４の後端同士はリンク軸３５でリンク結合され、レールロックアーム３３とドラムロックアーム３４の揺動動作が連動するようになっている。リンク軸３５は、ケーシング３１の左右壁に設けられた円弧形のガイド孔３１ｅに案内されている。
これにより、レールロックアーム３３が突出位置にあるときには、ドラムロックアーム３４は接近位置にあり、レールロックアーム３３が退避位置にあるときには、ドラムロックアーム３４は離反位置にあるようになっている。
またリンク軸３５には、トーションスプリングからなる復帰ばね３６が装てんされており、レールロックアーム３３は突出位置に、ドラムロックアーム３４は接近位置に、それぞれ付勢されている。
【００２７】
図２のように、物干し具本体３０のケーシング３１がレール１０のレール本体１２にはめ込まれた状態で、復帰ばね３６の付勢により鉤口３１ｄから突出するレールロックアーム３３の鉤部３３ｂが、レール本体１２の係止溝１２ａへと係合するため、物干し具本体３０は、レール１０に対して固定される。
同様に、復帰ばね３６の付勢によりドラム３２に接近するドラムロックアーム３４の爪部３４ｂが、ドラムギア３２ｄの隣接するラチェット歯３２ｆの間からストッパ２３ｇの間にかけての窪みに嵌まり込み、ドラムロックアーム３４とドラムギア３２ｄとは噛合う。このとき、ラチェット歯３２ｆの作用により、ドラム３２はロープ４０の引き出し方向への回転が阻止され、またストッパ３２ｇの作用により、ドラム３２はロープ４０の巻き取り方向への回転が阻止される。
【００２８】
その結果、ドラム３２はロープ４０の引き出し方向および巻き取り方向のいずれの方向への回転も阻止され、固定される。
このため、ロープ４０が意図せずに引き出されて緩んでしまったり、巻き取られて過度に緊張しフック２０や物干し具本体３０がロープ４０に引っ張られ、レール本体１２から外れてしまったりすることが防止される。
ドラムギア３２ｄの歯をラチェット歯３２ｆとしたことにより、ロープ４０の引き出し方向の回転を確実に防止することができる。これとともに、隣接する歯と歯の間の間隔をなくすことができるため、ロープ４０の引き出し長さの微調整が可能である。
他方、ラチェット歯３２ｆのみでは、ロープ４０の巻き取り方向の回転を確実に防止することができず、巻き取りばねの作用により、ドラムロックアーム３４の爪部３４ｂが、ラチェット歯３２ｆの緩やかな側の傾斜面を乗り越えてしまう恐れがある。ラチェット歯３２ｆにストッパ３２ｇを連設することで、爪部３４ｂはラチェット歯３２ｆを乗り越えることができなくなるため、ロープ４０の巻き取り方向の回転も確実に防止することができる。
【００２９】
またレールロックアーム３３は、上方に延びる操作レバー３３ｃを有し、その操作レバー３３ｃの上端に設けられたタブはケーシング３１の操作口３１ｂに臨んでいる。
図７で示すように、操作レバー３３ｃのタブを復帰ばね３６に抗して指でケーシング３１の正面側にスライドさせることで、レールロックアーム３３を突出位置から退避位置へと切り替え操作することができる。これにより、レールロックアーム３３の鉤部３３ｂとレール本体１２の係止溝１２ａとの係合が解除され、物干し具本体３０をレール１０から取り外すことが可能となる。
このとき同時に、ドラムロックアーム３４もレールロックアーム３３に連動して接近位置から離反位置へと切り替わる。両アーム３３、３４を一挙動で同時に操作することが可能となり、操作性が向上している。
これにより、ドラムロックアーム３４の爪部３４ｂとドラム３２のドラムギア３２ｄとの噛合が解除され、ドラム３２は回転可能となる。ロープ４０から手を離すと、巻き取りばね３２ｅの付勢によりロープ４０は自動的にドラム３２に巻き取られる。また、復帰ばね３６の付勢に抗してロープ４０を引っ張ると、ドラムは引き出し方向に回転可能であるため、ロープ４０を任意の長さだけ引き出すことが可能となる。ロープ４０を所望の長さだけ引き出したのちに、操作レバー３３ｃから手を離すと、ドラムロックアーム３４は接近位置に切り替わり、ドラムギア３２ｄと噛合し、ロープ４０の長さが固定される。
一方、操作レバー３３ｃから手を離すと、復帰ばね３６の付勢により、レールロックアーム３３は退避位置から突出位置へと自動的に切り替わり、物干し具本体３０が、レール１０に対して固定可能な状態に復帰する。
同時に、復帰ばねの付勢により、ドラムロックアーム３４は離反位置から接近位置へと自動的に切り替わり、ロープ４０を巻き取りおよび引き出し不能な状態に復帰する。
【００３０】
実施形態の物干し具１の構成は以上のようであり、使用に際しては、まず、フック２０の嵌合部２１ｃにレール１０のレール本体１２をはめ込み、レールロックアーム２２を係止溝１２ａに係合して、フック２０をレール１０の所望の位置に固定する。
次に、物干し具本体３０の操作レバー３３ｃのタブを、指でケーシング３１の正面側にスライドさせ、ドラムロックアーム３４とドラムギア３２ｄとの係合を解除し、ロープ４０を引き出してゆく。
物干し具本体３０が、レール１０の所望の位置に届くまでロープ４０を引き出すと、操作レバー３３ｃのタブから指を離し、ロープ４０の長さを固定する。
同時に、物干し具本体３０の嵌合部３１ｃに、レール１０のレール本体１２をはめ込み、レールロックアーム３３を係止溝１２ａに係合して、物干し具本体３０をレール１０の所望の位置に固定する。
レール１０に対して固定されたフック２０と物干し具本体３０の間に展張されたロープ４０に適宜洗濯物等を吊り下げて使用に供する。
洗濯物等の重みにより、フック２０および物干し具本体３０には、下方に向けての荷重が負荷され、レール本体１２に対して押し付けられる。このため、フック２０や物干し具本体３０とレール１０との間の摩擦力により、フック２０および物干し具本体３０がレール１０に沿ってずれ動くことが防止される。
【００３１】
使用を終えると、フック２０および物干し具本体３０の操作レバー２２ｄ、３３ｃのタブを、指でケーシング２１、３１の正面側へとスライド操作し、レールロックアーム２２、３３と係止溝１２ａとの係合を解除する。その上で、フック２０および物干し具本体３０をレール１０から取り外す。
物干し具本体３０については、ケーシング３１の正面側へと操作レバー３３ｃをスライドさせたままにし、巻き取りばね３２ｅの付勢によりロープ４０をドラム３２に巻き取らせる。この状態で、引き出し等に収納してもよいし、レール１０の隅の邪魔にならない位置に、取り付けておいてもよい。
【００３２】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００３３】
フック２０や物干し具本体３０をレール１０に対し着脱可能とする機構は、実施形態に限定されない。たとえば実施形態では、レールロックアーム２２、３３やドラムロックアーム３４を揺動可能に構成しているが、直線的に進退スライド可能に構成して、その前進時にそれぞれレール本体１２の係止溝１２ａおよびドラム３２のドラムギア３２ｄに係合し、その後退時に係止溝１２ａおよびドラムギア３２ｄとの係合を解除するように構成してもよい。
また実施形態では、操作性を向上させるため、レールロックアーム３３とドラムロックアーム３４を連動させているが、個別に動作させてもよい。
【００３４】
実施形態では、復帰ばね２３、３６により、レールロックアーム２２、３３やドラムロックアーム３４を付勢しているが、復帰ばね２３、３６のいずれか一方または双方を省略することができる。この場合、操作レバー２２ｄ、３３ｃのタブを、指でケーシング２１、３１の背面側へとスライド操作することで、レールロックアーム２２、３３やドラムロックアーム３４と、係止溝１２ａやドラムギア３２ｄと係合させることになる。
また、実施形態では、巻き取りばね３２ｅにより、ドラム３２をロープ４０の巻き取り方向に付勢しているが、巻き取りばね３２ｅを省略することができる。この場合、ドラム３２の一部をケーシング外に突出させ、その突出箇所をドラム３２の巻き取り方向に回転操作することで、ロープ４０を巻き取ることになる。
また実施形態では、ドラムギア３２ｄの歯は、ロープの引き出し方向に傾斜するラチェット歯３２ｆとしているが、これに限定されず、通常の方向性の無い歯とすることもできる。ドラムギア３２ｄの歯を、実施形態とは逆にロープの巻き取り方向に傾斜するラチェット歯とし、これにロープの引き出し方向に傾斜するストッパを付属させてもよい。
【００３５】
さらに、フック２０および物干し具本体３０のレール本体１２への取り付け時に、フック２０や物干し具本体３０がレール１０に沿って不要にスライドするのを防止する機構を別途設けてもよい。たとえば、レール１０の表板１１ａと、フック２０および物干し具本体３０のケーシング２１、３１の背面に、嵌合可能な凹凸部を設けてもよい。
レール１０の敷設パターンは特に限定されず、対向する壁面に敷設する必要はなく、隣接する壁面に敷設し、それぞれにフック２０および物干し具本体３０を取り付けることで、室内の斜め方向にロープを展張することも可能である。レール１０は、壁面に沿って水平に敷設する必要はなく、斜めに敷設してもよい。
なお、実施形態の物干し具は、主として室内で用いることを想定しているが、ベランダ等の屋外でも適宜レールを敷設して使用することも可能である。
【符号の説明】
【００３６】
１  物干し具
１０  レール
１１  取り付け板
１１ａ  表板
１１ｂ  裏板
１２  レール本体
１２ａ  係止溝
２０  フック
２１  ケーシング
２１ａ  引き出し口
２１ｂ  操作口
２１ｃ  嵌合部
２１ｄ  鉤口
２１ｅ  挟持片
２１ｆ  ガイド溝
２１ｇ  ケーシング本体
２１ｈ  カバー
２２  レールロックアーム
２２ａ  アーム軸
２２ｂ  ガイドピン
２２ｃ  鉤部
２２ｄ  操作レバー
２３  復帰ばね
３０  物干し具本体
３１  ケーシング
３１ａ  引き出し口
３１ｂ  操作口
３１ｃ  嵌合部
３１ｄ  鉤口
３１ｅ  ガイド孔
３１ｆ  ケーシング本体
３１ｇ  カバー
３２  ドラム
３２ａ  ドラム軸
３２ｂ  胴
３２ｃ  ばねケース
３２ｄ  ドラムギア
３２ｅ  巻き取りばね
３２ｆ  ラチェット歯
３２ｇ  ストッパ
３３  レールロックアーム
３３ａ  アーム軸
３３ｂ  鉤部
３３ｃ  操作レバー
３４  ドラムロックアーム
３４ａ  アーム軸
３４ｂ  爪部
３５  リンク軸
３６  復帰ばね
４０  ロープ
Ｗ  壁面
【図１】
2017079932.tif 000003
【図２】
2017079932.tif 000004
【図３】
2017079932.tif 000005
【図４】
2017079932.tif 000006
【図５】
2017079932.tif 000007
【図６】
2017079932.tif 000008
【図７】
2017079932.tif 000009